(57)【要約】【課題】  ブレイク時における上刃の押込み量を低減することが可能な基板分断方法並びに基板分断装置を提供する。【解決手段】  ダイシングリング１に支持された弾力性のある粘着フィルム２の下面に脆性材料基板Ｗを貼り付け、該基板Ｗの下面に複数条のスクライブラインＳを形成した後、分断すべきスクライブラインＳを跨いでその左右位置の基板Ｗ下面に一対の受刃４、４を当接させ、基板ＷのスクライブラインＳを設けた面とは反対側の面でスクライブラインＳに相対する部位に上刃６を配置して、該上刃６を粘着フィルム２の上方から基板Ｗに押圧することによって、３点曲げモーメントにより基板ＷをスクライブラインＳに沿ってブレイクする基板分断方法および分断装置であって、上刃６によるブレイク時に、基板Ｗを保持する粘着フィルム２に下向きの張力が生じるように、受刃４、４が粘着フィルム２を押し上げる位置に配置してブレイクする。【選択図】図２
2014223811.tif 000002
【特許請求の範囲】
【請求項１】
下面に複数条のスクライブラインを形成され、弾力性のある粘着フィルムの下面に貼り付けられた脆性材料基板のスクライブラインを設けた面とは反対側の面でスクライブラインに相対する部位に上刃を配置して、該上刃を前記粘着フィルム上方から前記脆性材料基板に押圧することによって、脆性材料基板をスクライブラインに沿ってブレイクする基板分断方法であって、
前記上刃によるブレイク時に、前記脆性材料基板を保持する前記粘着フィルムが下向きの張力が生じるようにしてブレイクするようにした基板分断方法。
【請求項２】
下面に複数条のスクライブラインを形成され、弾力性のある粘着フィルムの下面に貼り付けられた脆性材料基板の前記分断すべきスクライブラインを設けた面とは反対側の面で当該スクライブラインに相対する部位の上方に上刃が配置され、前記粘着フィルム上方から前記脆性材料基板を前記上刃で押圧することによって、前記脆性材料基板をスクライブラインに沿ってブレイクする基板分断装置であって、
前記上刃によるブレイク時に、前記脆性材料基板を保持する粘着フィルムが下向きの張力が生じるようにされる基板分断装置。
【発明の詳細な説明】
【技術分野】
【０００１】
本発明は、ガラス、シリコン、アルミナ、セラミック、化合物半導体等の脆性材料からなる基板の分断方法、分断装置に関する。特に本発明は、基板上に形成した複数条のスクライブラインに沿って短冊状あるいは格子状に基板を分断してチップ等の製品に分断する方法並びにその分断装置に関する。
【背景技術】
【０００２】
従来より、脆性材料基板に対して、ダイシングソー、カッターホイール、レーザビームを用いて、複数条のスクライブラインを形成し、その後に、外力を印加して基板を撓ませてスクライブラインに沿ってブレイクすることにより、チップ等の単位製品を取り出す方法が知られている（例えば特許文献１、特許文献２等）。
【０００３】
脆性材料基板に対し、スクライブラインに沿って曲げモーメントを加えてブレイクする際、曲げモーメントを効果的に生じさせるために、上記特許文献等に示すような３点曲げ方式にて行うのが好ましい。
図３は、表面に多数の電子部品（微細な電子回路）が形成されたアルミナ基板やＬＴＣＣ基板（低温焼成セラミックス基板）を３点曲げ方式でブレイクして電子部品を取り出す一般的なブレイク工程を示すものである。
表面に多数の電子部品が形成され、その電子部品形成面を保護テープ１１で被覆した基板Ｗを、ダイシングリング１２に支持された弾力性のある粘着フィルム１３の下面に保護テープ１１を下向きにして貼り付ける。基板Ｗの電子部品形成面には前工程で複数条のスクライブラインＳが形成されており、このスクライブラインＳを跨いでその左右位置で基板Ｗの下面を受ける一対の受刃１４が配置されている。基板ＷのスクライブラインＳを設けた面とは反対側の面でスクライブラインＳに相対する部位の上方には上刃１５が配置されている。この上刃１５を粘着フィルム１３の上方から基板Ｗに押圧させることによって、基板Ｗを撓ませてスクライブラインＳからブレイクしている。
なお、スクライブラインＳから正確にブレイクするために、基板Ｗには上刃１５との位置合わせ用のアライメントマークが設けられており、撮像装置（不図示）で基板Ｗの表面を撮像することで、撮像されたアライメントマークを参照してブレイク位置の位置決めを行っている。この撮像装置による位置決めは、アライメントマークに代えて、スクライブライン自体を参照して位置決めを行う場合もある。
【先行技術文献】
【特許文献】
【０００４】
【特許文献１】特開２０１１−２１２９６３号公報
【特許文献２】特開２０１０−０１４９４５号公報
【発明の概要】
【発明が解決しようとする課題】
【０００５】
基板Ｗの上面に上刃１５を押し当てて上記の３点曲げ方式で基板Ｗを撓ませてブレイクする場合、上刃１５が基板Ｗの上面に接してからスクライブラインが分断されるまでの一定の押込みストローク（押込み量）が必要である。この押込み量は、例えば厚み０．６４ｍｍのアルミナ基板の場合で約０．１ｍｍを必要としている。
上刃１５による押込み動作は、１枚の基板に対してスクライブラインの数だけ行われるものであるから、押込み量が大きいと粘着テープに復元しない小さな「シワ」が生じることがある。このような「シワ」が生じると、上記した撮像装置による基板のアライメントに誤差が発生し、正確にスクライブラインＳからブレイクすることができない。
また、上刃の押込み量が大きいと、図４に示すように、基板Ｗの分断端面１６の上端縁同士が互いに干渉してこの部分が欠けたりする場合があり、製品の加工品質を大きく損なうことになるといった問題点もある。
【０００６】
そこで本発明は、上記した従来課題の解決を図り、ブレイク時における上刃の押込み量を低減することが可能な基板分断方法並びに基板分断装置を提供することを目的とする。
【課題を解決するための手段】
【０００７】
上記目的を達成するために本発明では次のような技術的手段を講じた。すなわち、本発明の基板分断方法では、（ダイシングリングに支持された）弾力性のある粘着フィルムの下面に脆性材料基板を貼り付け、前記脆性材料基板の開放された下面に複数条のスクライブラインを形成した後、（分断すべきスクライブラインを跨いでその左右位置の基板下面に一対の受刃を当接させ、）前記脆性材料基板のスクライブラインを設けた面とは反対側の面でスクライブラインに相対する部位に上刃を配置して、該上刃を前記粘着フィルム上方から前記脆性材料基板に押圧することによって、（３点曲げモーメントにより）脆性材料基板をスクライブラインに沿ってブレイクする基板分断方法であって、前記上刃によるブレイク時に、前記脆性材料基板を保持する前記粘着フィルムが下向きの張力が生じるように（、前記一対の受刃が粘着フィルムを押し上げる位置に配置）してブレイクするようにしている。
【０００８】
また、本発明の基板分断装置は、（ダイシングリングに支持された）弾力性のある粘着フィルムの下面に脆性材料基板が貼り付けられ、（前記脆性材料基板の下面に形成された分断すべきスクライブラインを跨いでその左右位置の基板下面に当接する一対の受刃が配置され、）前記脆性材料基板の前記分断すべきスクライブラインを設けた面とは反対側の面で当該スクライブラインに相対する部位の上方に上刃が配置され、前記粘着フィルム上方から前記脆性材料基板を前記上刃で押圧することによって、（３点曲げモーメントにより）前記脆性材料基板をスクライブラインに沿ってブレイクする基板分断装置であって、前記上刃によるブレイク時に、前記脆性材料基板を保持する粘着フィルムが下向きの張力が生じるように（、前記一対の受刃が粘着フィルムを押し上げる位置に配置）される構成とした。
【発明の効果】
【０００９】
本発明によれば、基板を保持する粘着フィルムが、（受刃によって持ち上げられて）下向きの張力が生じているので、基板は粘着フィルムによって常時スクライブラインを引き裂くような力を受けることになり、その結果、上刃の基板に対する押込み量が小さくてもスクライブラインからブレイクすることが可能となる。したがって、上刃の基板に対する押込み量を従来の方法に比べて低減することができるので、上刃の反復昇降によって粘着フィルムに小さなシワ等の変形が生じるのを抑制することができ、これにより基板の分断位置の位置ずれの発生をなくすことができる。また、上刃の基板に対する押込み量が小さく、しかも粘着フィルムによって基板がスクライブラインから引き裂く方向に引っ張り力を受けているので、ブレイクされたときに、分断端面の上端縁同士が干渉することがなくなり、欠けのない高品質の製品を作製することができるといった効果がある。
【００１０】
本発明の基板分断装置において、前記受刃が、上下移動可能な移動ステージを介して上下位置調整可能に形成されている構成とするのがよい。
これにより、前記受刃によって持ち上げられる粘着フィルムの持ち上げ量を、分断すべき基板に合わせて適正な位置に微調整することができる。
【図面の簡単な説明】
【００１１】
【図１】分断対象となるアルミナ基板をダイシングリングに支持された粘着フィルム上にマウントした状態を示す斜視図。
【図２】本発明に係る基板分断装置の断面図。
【図３】従来の３点曲げモーメントによるブレイク工程の一例を示す断面図。
【図４】従来の３点曲げモーメントにより基板をブレイクした状態を示す断面図。
【発明を実施するための形態】
【００１２】
以下、本発明に係る基板分断方法並びに基板分断装置の詳細を、一実施形態を示す図面に基づいて詳細に説明する。ここでは、複数の電子部品が一体成形されたアルミナ基板をブレイクして電子部品を取り出す場合を例に説明する。
【００１３】
図１は分断対象となるアルミナ基板が、ダイシングリングに支持された粘着フィルム上にマウントされた状態を示す斜視図であり、図２は本発明に係る基板分断装置の断面図である。
【００１４】
加工対象となる基板Ｗは、図１に示すように、ダイシングリング１に支持された粘着フィルム２の粘着面に、電子部品形成面を上向きにした状態で貼り付けられている。この粘着フィルム２は弾性を有する樹脂シート材で形成され、ダイシングリング１に張られた状態で周囲が固着されている。基板Ｗの電子部品形成面には前工程で複数条のスクライブラインＳが加工されており、その表面は保護テープ３により被覆保護されている。ブレイク加工時には保護テープ３が下向きとなるように反転させて下記の基板分断装置の固定ステージ５上にダイシングリング１が載置される。
【００１５】
基板分断装置は、図２に示すように、反転された基板Ｗの下面に形成されているスクライブラインＳを跨いでその左右位置の基板下面を左右一対の受刃４、４と、ダイシングリング１を載置する固定ステージ５と、基板ＷのスクライブラインＳに相対する部位の上方に配置された上刃６とを備えている。受刃４、４は、その上面が平らな面で形成されている。
ダイシングリング１を固定ステージ５上に載置したとき、基板Ｗを下面に保持する粘着フィルム２が、受刃４、４によって持ち上げられて下向きの張力（弾性復元力）が生じるように、前記一対の受刃４、４の位置が予め設定されている。この持ち上げ量Ｈは、例えば、ダイシングリング１の内径が２５０ｍｍ、基板Ｗの厚みが０．６４ｍｍの場合に１．３ｍｍ程度が好適である。
【００１６】
また、本実施例では、左右の受刃４、４の間隔が調整できるように調整機構（不図示）を介して支持台７に取り付けられている。さらに、支持台７は、移動機構（不図示）によって上下移動可能に形成された移動ステージ８に取り付けられており、これにより受刃４、４の高さ位置が微調整できるように形成されている。
【００１７】
なお、図示は省略するが、基板Ｗには従来と同じように、上刃６との位置合わせ用のアライメントマークが設けられており、撮像装置（不図示）でアライメントマークを撮像することでブレイク位置の位置決めを行ってからブレイクを行う。この場合、アライメントマークを用いずにスクライブライン自体を参照してブレイク位置の位置決めをすることもできる。
【００１８】
上記のごとく形成された基板分断装置では、上刃６を前記粘着フィルム２の上方から基板Ｗに押圧することによって、受刃４、４とによる３点曲げモーメントによって基板ＷをスクライブラインＳに沿ってブレイクする。
このブレイク動作の際、基板Ｗを下面に保持する粘着フィルム２が、受刃４、４によって持ち上げられて下向きの張力が生じているので、基板Ｗは、粘着フィルム２の図中矢印で示すような外方向への引っ張り力によって常時スクライブラインＳを引き裂くような力を受けることになり、その結果、上刃６の基板に対する押込み量が小さくてもスクライブラインＳからブレイクすることが可能となる。
【００１９】
本発明の効果を実際に確認するため、ダイシングリング１の内径が２５０ｍｍ、基板Ｗの厚みが０．６４ｍｍ、粘着フィルム２の持ち上げ量Ｈが１．３ｍｍの条件でブレイクテストを行った結果、ダイシングリング１に張られた粘着フィルムを水平な姿勢（テンションを与えていない状態）にしてブレイクした場合の上刃押込み量が０．１ｍｍであったのに対し、本発明方法で実施した場合は約半分の０．０５ｍｍの押込み量でブレイクすることができた。
【００２０】
以上のように、本発明によれば、ブレイク時における上刃６の基板Ｗに対する押込み量を従来手段に比べて略半分程度に低減することができるので、上刃６の反復昇降によって粘着フィルム２に生じる小さなシワ等の変形を抑制することができ、これにより基板の撮像装置による位置合わせ後の位置ずれの発生をなくすことができる。また、上刃６の基板Ｗに対する押込み量が小さく、しかも粘着フィルム２の外方向への引っ張り力によって基板がスクライブラインＳから引き裂く方向に力を受けているので、ブレイクされたときに分断端面の上端縁同士が干渉することがなくなり、欠けのない高品質の製品を作製することができる。
【００２１】
以上本発明の代表的な実施例について説明したが、本発明は必ずしも上記の実施形態に特定されるものではない。例えば、基板Ｗの電子部品形成面を被覆する保護テープ３は、受刃４、４の上面に設けてもよく、あるいは保護テープ自体を省略することも可能である。また、受刃４、４はスクライブラインＳを挟んで基板Ｗ下面の一部を受けるようにしてもよい。さらに、加工対象の基板として、本実施例ではアルミナ基板を例にしたが、ＬＴＣＣ基板やガラス基板、シリコン基板であってもよい。
その他本発明では、その目的を達成し、請求の範囲を逸脱しない範囲内で適宜修正、変更することが可能である。
【産業上の利用可能性】
【００２２】
本発明の分断方法並びに分断装置は、アルミナ基板、ＬＴＣＣ基板、ガラス基板、シリコン、セラミック、化合物半導体等の脆性材料からなる基板の分断に利用される。
【符号の説明】
【００２３】
Ｓ  スクライブライン
Ｗ  基板
１  ダイシングリング
２  粘着フィルム
３  保護テープ
４  受刃
６  上刃
【図１】
2014223811.tif 000003
【図２】
2014223811.tif 000004
【図３】
2014223811.tif 000005
【図４】
2014223811.tif 000006